(57)【要約】      （修正有）【課題】  支持板を起伏可能として支持板の起立時の容積を飛躍的に良好に改善したものである。【解決手段】  強靭なボード１に設けた係止孔２へ、物品の吊下手段を有する物品の支持器５の基部の係止片６を挿入し、前記支持器５を起伏可能に係止固定したことを特徴とする物品陳列板により目的を達成した。【選択図】      図２
2005130967.tif 000002
【特許請求の範囲】
【請求項１】
強靭なボードに設けた係止孔へ、物品の吊下手段を有する物品の支持器の基部の係止片を挿入し、前記支持器を起伏可能に係止固定したことを特徴とする物品陳列板。
【請求項２】
吊下手段は、支持器の係止片から係止すべきボードに対し直角方向に張り出した支持板の先端縁から後端縁に向かって物品係止用の長溝を設けたことを特徴とする請求項１記載の物品陳列板。
【請求項３】
吊下手段は、支持器の基端部に設けた係止片の後板へ直角方向に突設した係止棒としたことを特徴とする請求項１記載の物品陳列板。
【請求項４】
起伏可能は、支持器の支持板又は係止棒の基部に設けた係止片の先端部又は基部の凹部と、ボードの係止孔縁とを支持板又は係止棒の起伏時に夫々係脱自在に係止したことを特徴とする請求項１、２、３の何れか１つ記載の物品陳列板。
【請求項５】
係止用の長溝の入口部又は係止棒の先端部には、物品係止部の止め手段を設けたことを特徴とする請求項２又は３記載の物品陳列板。
【請求項６】
係止固定は、ボードの係止孔縁と、係止片の先端の係止突起を係止、又は前記係止孔縁と、係止片の基部の凹入部とを係止させたことを特徴とする請求項１記載の物品陳列板。
【請求項７】
ボードの係止孔と起伏可能に係止する係止片の一側下部に、直角方向へ支持手段を突設し、該支持手段を物品吊下可能に形成したことを特徴とする請求項１記載の陳列板に使用する陳列物支持器。
【請求項８】
支持手段は、係止片の下部へ支持板を突設し、該支持板に、物品を吊下する為の長溝を設け、又は前記係止片の下部へ係止棒を突設したことを特徴とする請求項７記載の陳列板に使用する陳列物支持器。
【請求項９】
係止片は、起伏時にその上部及び基部とボードの係止孔縁とを、夫々係止できる形状としたことを特徴とする請求項７又は８記載の陳列物支持器。
【請求項１０】
ボードの係止孔へ係止固定できる係止板へ、物品吊下手段との係止手段を設け、該係止手段へ物品吊下手段の基部を起伏可能に嵌合係止させたことを特徴とする陳列物支持器。
【請求項１１】
係止手段は、基端部を係止板へ固定し、先端部を弧状の上向き鉤片としたことを特徴とする請求項１０記載の陳列物支持器。
【請求項１２】
物品吊下手段は、物品の上部を掛止できる係止体の基部へ、鉤片と嵌合する支軸を設けると共に、前記係止体の回動規制用のストッパーを設けたことを特徴とする陳列物支持器。
【発明の詳細な説明】
【技術分野】
【０００１】
この発明は、ボードの係止孔に、支持器を起伏可能に係止固定し、前記支持器を起こした際に、支持器の支持板などに物品を吊下できるようにすることを目的とした物品陳列板及び陳列物支持器に関する。
【背景技術】
【０００２】
従来ボードに直角に吊下板を固定し、該吊下板に物品を吊下する陳列板が知られている。
【０００３】
また紙製のハンガーボードにスリットを設け、このスリットに台紙の舌片を挿入して止め、前記台紙に包装された商品を固定する陳列板もあった。
【特許文献１】実用新案登録第３０７００３９号
【発明の開示】
【発明が解決しようとする課題】
【０００４】
前記従来の陳列器において、ボードに直角に吊下板を固定した場合に、陳列器を組み立てた状態で使用場所に運ぶと嵩張るので、使用場所でボードと吊下板を組み立てなければならない問題点があった。
【０００５】
前記特許文献の場合には、ボードにスリットを設けた考案であるが、この考案では、ボードに台紙を固定するのにスリットを設けたもので、前記問題点はなかった。
【０００６】
然し乍ら、ボードにスリットを設け、ボードに直角な吊下手段（吊下板又は吊下棒）を前記スリットに固定した場合には、組立後梱包すると、前記のように嵩張る問題点があった。
【０００７】
即ち特許文献１は、ボードにスリットを設けた先行技術であるけれども、スリットの使用方法によっては問題点となることを示すものである。
【課題を解決するための手段】
【０００８】
この発明は、ボードの掛止孔へ、物品支持器を取付ける場合に、該物品支持器を起伏自在に取付けることにより、前記従来の問題点を解決したのである。
【０００９】
即ちこの発明は、強靭なボードに設けた係止孔へ、物品の吊下手段を有する物品の支持器の基部の係止片を挿入し、前記支持器を起伏可能に係止固定したことを特徴とする物品陳列板であり、吊下手段は、支持器の係止片から係止すべきボードに対し直角方向に張り出した支持板の先端縁から後端縁に向かって物品係止用の長溝を設けたことを特徴とするものであり、吊下手段は、支持器の基端部に設けた係止片の後板へ直角方向に突設した係止棒としたことを特徴とするものである。
【００１０】
また、起伏可能は、支持器の支持板又は係止棒の基部に設けた係止片の先端部又は基部の凹部と、ボードの係止孔縁とを支持板又は係止棒の起伏時に夫々係脱自在に係止したことを特徴とするものであり、係止用の長溝の入口部又は係止棒の先端部には、物品係止部の止め手段を設けたことを特徴とするものであり、係止固定は、ボードの係止孔縁と、係止片の先端の係止突起を係止、又は前記係止孔縁と、係止片の基部の凹入部とを係止させたことを特徴とするものである。
【００１１】
次の他の発明は、ボードの係止孔と起伏可能に係止する係止片の一側下部に、直角方向へ支持手段を突設し、該支持手段を物品吊下可能に形成したことを特徴とするものであり、支持手段は、係止片の下部へ支持板を突設し、該支持板に、物品を吊下する為の長溝を設け、又は前記係止片の下部へ係止棒を突設したことを特徴とするものであり、係止片は、起伏時にその上部及び基部とボードの係止孔縁とを、夫々係止できる形状としたことを特徴とするものである。
【００１２】
更に他の発明は、ボードの係止孔へ係止固定できる係止板へ、物品吊下手段との係止手段を設け、該係止手段へ物品吊下手段の基部を起伏可能に嵌合係止させたことを特徴とする陳列物支持器である。また、係止手段は、基端部を係止板へ固定し、先端部を弧状の上向き鉤片としたことを特徴とするものであり、物品吊下手段は、物品の上部を掛止できる係止体の基部へ、鉤片と嵌合する支軸を設けると共に、前記係止体の回動規制用のストッパーを設けたことを特徴とするものである。
【００１３】
前記支持板には、物品を支持する手段、例えば長溝、係止孔、係止突条その他物品を吊下する場合の支持部であれば何れも使用できる。また支持板に代えて係止棒とすることもできる。
【００１４】
前記発明におけるボードの材質は、紙板、プラスチック板、木板又は金属板などがあるが、何れにしても、吊下物の重量に耐えて変形しないものが好ましい。また係止孔は、長年連続使用しても変形、破損しないものが好ましい。
【００１５】
例えば紙板の場合には、樹脂加工して吸水性を小さくすると共に、強度を増強する。金属板の場合には、厚くすると重くなるので、薄板にリブを設けて補強し、かつステンレスでない金属板では防錆加工して発錆を防止する。
【００１６】
前記における係止片の具体的形状には制約がなく、ボードの係止孔へ支持器を起伏可能に係止固定することを要件としている。
【発明の効果】
【００１７】
この発明によれば、ボードへ物品支持器を起伏自在に係止固定したので、物品吊下手段が、ボード面と直角方向へ長く突設してあっても、これを起立させることによって吊下部がボード面と平行になり嵩張ることなく、比較的小さく梱包できるので、陳列器を組み立てた状態で梱包、運搬、又は貯蔵できる効果がある。
【００１８】
またボードへの係止手段と、物品吊下手段を組み合わせることにより、製造が容易になる効果もある。
【発明を実施するための最良の形態】
【００１９】
この発明は、紙板又は、合成樹脂板などの強靭なボードに係止孔を設け、この係止孔へ、物品支持器の係止片を起伏可能に係止固定して物品陳列板を構成した。
【００２０】
前記物品支持器には、長溝、係止棒などの物品支持手段が突設してあるが、不使用時に、前記物品支持手段を起立させるべく回転すると、前記長溝又は係止棒が直立状態になるので、物品陳列板が比較的嵩張ることなく、梱包又は収納することができる。
【００２１】
前記物品支持手段は、前記長溝又は係止棒のみならず、従来使用されている支持具を採用することができる。
【実施例１】
【００２２】
この発明の実施例を図１、２、３について説明すると、紙ボード１に、支持器５の係止片６の係止端６ａが挿通できる係止孔２、２を並列して穿設する。前記支持器５は、支持板７の左右縁に側板８、８を対向して直立設置し（図３）、後部（図３中左側）に屈曲した後板９を設け、該後板９の左右縁部に係止片６、６を側面弧状に突設し（図４）、前記支持板７の中央部に係止溝１０を設けて支持器５を形成した（図５）。
【００２３】
前記支持器５を紙ボード１に係止するには、紙ボード１の係止孔２へ、支持器５の係止片６の係止突起６ａ側を挿入し、係止孔２縁と、係止突起６ａとを係止させるので（図２）、係止孔２から、係止突起６ａが脱抜するおそれはない（図２（ａ）鎖線図示）。
【００２４】
また図２（ａ）の実線図示のように、鎖線図示のＡ位置から、矢示１１のようにＢ位置に移動すると、側板８の上縁と、係止片６の上縁との交叉部の凹入部８ａが、前記係止孔２の縁部と係止するので、支持器５は起立状態を保っている。
【００２５】
例えば支持器５を倒した場合（図２（ａ）鎖線）は、ボード１の表面と、支持器５の突出端との距離Ｌは、図上８．５ｃｍであり、支持器５を起立した場合の距離Ｌ１は、図上２．５ｃｍであって、ほぼ３分の１にすぎない。例えばこのような陳列板１５を複数枚重ね合わせた場合に、この発明の陳列板１５の収納幅はほぼ３分の１に縮小される。図中１３は吊紐、１４は吊下物品、２４は吊下物品の外れを防止する為に設けた溝１０端の突部である。
【００２６】
前記図１に示す支持器５ａは起立状態、支持器５は横に倒した（伏状態）を示す。
【実施例２】
【００２７】
この発明の他の実施例を図６について説明すれば、後板９の両側部に係止片６、６を取り付け、前記後板９に、物品係止棒１２を、後板９に対し直角方向に突設したものである。このような場合に、係止棒１２の長さには実質的に制約はないので、係止板１２を取付けたボードの梱包容積を著しく小さくすることができる（図６）。図４は係止棒の先端屈曲部である。
【実施例３】
【００２８】
この発明の他の実施例を図７、８に基づいて説明する。この実施例は、支持器２０を、係止板１６と、これに起伏自在に取り付けた係止棒１７（係止体は、係止棒１７又は溝付係止板など）との組み合わせにより構成した（図７、８）。
【００２９】
前記係止板１６には、ボード１の裏面側（物品吊下の反対側）に係止され、ボードの係止孔２より大きい板体であって、前記係止棒１７の基部に設けた係止軸１８を回動自在に支持する上向鉤状の鉤片１９が突設されており、該鉤片１９の弧状部１９ａに対向して止片２１が突設されて係止軸１８を抱持している。前記係止軸１８は、鉤片１９の弧状部１９ａと、止片２１に挟まれている。
【００３０】
前記係止棒１７の基部には、鉤片１９に嵌入係止する側面楕円状の係止軸１８と、係止棒１７をほぼ水平に支持する為のストッパー２２が設けてあり、前記支持棒１７の先端には屈曲部２３を連設して物品３の係止鉤２５の外れを防止している（図８（ａ））。
【００３１】
前記図７と図８の係止板１６、２６の相違は、係止板１６のボード当接用の突条２７、２７の有無によるもので、実質的差異はない。
【００３２】
前記係止軸１８は、断面楕円状であるから、支持棒１７が垂直の場合（図８（ｂ））でも、水平の場合（図７（ａ、ｂ、ｃ）、図８（ａ））の何れにおいても係止し、安定保持することができる。
【００３３】
前記実施例は支持棒１７を例示したが、支持棒１７に代えて溝付板（例えば支持板７のような）、又は金属線よりなる支持棒なども考えられる。
【００３４】
従って従来知られている物品支持手段はおおむね利用することができる。
【図面の簡単な説明】
【００３５】
【図１】この発明の陳列板の実施例の一部を省略した正面図。
【図２】（ａ）同じく一部断面した拡大図、（ｂ）同じく一部断面拡大図。
【図３】（ａ）同じく陳列器の正面図、（ｂ）同じく背面図。
【図４】（ａ）同じく側面図、（ｂ）同じく一部断面図。
【図５】（ａ）同じく平面図、（ｂ）同じく底面図。
【図６】同じく他の実施例の斜視図。
【図７】（ａ）同じく他の実施例の取付け状態を示す一部斜視図、（ｂ）同じく支持器の拡大斜視図、（ｃ）同じく取付け部の一部断面拡大図。
【図８】（ａ）同じく支持器の他の実施例の斜視図、（ｂ）同じく支持棒直立の一部拡大図、（ｃ）同じく係止板の拡大斜視図、（ｄ）同じく係止棒の一部拡大斜視図。
【符号の説明】
【００３６】
１  紙ボード
２  係止孔
５  支持具
６  係止片
７  支持板
８  側板
９  後板
１０  係止溝
１２  係止棒
１４、２４  吊下物品
１５  陳列板
１６  係止板
１７  係止棒
１８  係止軸
１９  鉤片
２０  支持器
２１  止片
２２  ストッパー
【図１】
2005130967.tif 000003
【図２】
2005130967.tif 000004
【図３】
2005130967.tif 000005
【図４】
2005130967.tif 000006
【図５】
2005130967.tif 000007
【図６】
2005130967.tif 000008
【図７】
2005130967.tif 000009
【図８】
2005130967.tif 000010